(57)【要約】【課題】グリル扉を開いたときに作業がしやすいグリル装置を提供する。【解決手段】グリル装置は、グリル庫２、支持機構３、グリル扉４及び支持体６を備える。グリル庫２の前端部には、開口部２４が形成される。支持機構３は、グリル庫２に設けられる。グリル扉４は、支持機構３によって、前後方向に移動可能に支持され、開口部２４を閉じる閉位置と、この閉位置よりも前方の開位置との間で前後方向に移動可能である。支持体６は、被調理物を受ける被調理物受け５を支持する。支持体６は、被規制部（第１部分７１）を有する。被規制部は、支持体６が連結されたグリル扉４が、前記開位置に配置されたときに、後方への移動が規制される。【選択図】図４
2019037641.tif 000002
【特許請求の範囲】
【請求項１】
前端部に開口部が形成されたグリル庫と、
前記グリル庫に設けられた支持機構と、
前記支持機構によって、前後方向に移動可能に支持され、前記開口部を閉じる閉位置と、この閉位置よりも前方の開位置との間で前後方向に移動可能なグリル扉と、
被調理物を受ける被調理物受けを支持するための支持体とを備え、
前記支持体は、
前記支持体が連結された前記グリル扉が、前記開位置に配置されたときに、後方への移動が規制される被規制部を有することを特徴とするグリル装置。
【請求項２】
前記支持体は、
前記支持体に連結された前記グリル扉の前後方向の移動に伴い、前記グリル庫の底部の上面に沿って移動する第１部分と、
下端が前記第１部分の下端よりも上方に位置し、かつ前端部が前記第１部分の後端部に繋がった第２部分とを有し、
前記被規制部は、前記第１部分であり、
前記被規制部は、前記グリル庫の前記底部に接することで後方への移動が規制されることを特徴とする請求項１に記載のグリル装置。
【請求項３】
前記支持体は、平面視枠状に形成された支持枠であって、
左右の縦枠部と、
前記左右の縦枠部を繋いだ前後の横枠部とを有し、
前記左右の縦枠部の各々は、
前記第１部分と
前記第２部分とを含み、
前記前後の横枠部のうちの後の横枠部は、
前記左右の縦枠部の前記第２部分の後端からそれぞれ左右方向の内側に向かって延び、下端が前記左右の縦枠部の前記第１部分の下端よりも上方に位置する、一対の横行部を含むことを特徴とする請求項２に記載のグリル装置。
【請求項４】
前記グリル扉が前記開位置に配置されたときに、前記グリル扉に連結された前記支持体によって支持された前記被調理物受けの全体が、前記グリル庫よりも前方に配置されるように構成されることを特徴とする請求項１〜３のいずれか１項に記載のグリル装置。
【発明の詳細な説明】
【技術分野】
【０００１】
本発明はグリル装置に関する。
【背景技術】
【０００２】
特許文献１にはガスグリルが開示されている。このガスグリルは、グリル庫と、グリル庫の前開口を開閉するグリル扉と、グリル扉で支持される皿受けとを有している。
【先行技術文献】
【特許文献】
【０００３】
【特許文献１】特開２０１６−５６９９４号公報
【発明の概要】
【発明が解決しようとする課題】
【０００４】
前記ガスグリルの利用者は、グリル扉を開くことにより、グリル扉と共に引き出された皿受けにグリル皿を置いたり、皿受けに支持されたグリル皿を取り出したりする作業を行うことが可能となる。
【０００５】
ところが、前記グリル扉が開いた状態にあるときに、利用者がグリル扉に不意に接触する等してグリル扉が後方に動くと、前記作業をし難くなる可能性がある。
【０００６】
本発明は前記事情に鑑みてなされたものであって、グリル扉が開いた状態を維持しやすいグリル装置を提供することを目的とする。
【課題を解決するための手段】
【０００７】
前記目的を達成するために本発明に係る一態様のグリル装置は、グリル庫、支持機構、グリル扉及び支持体を備える。前記グリル庫の前端部には、開口部が形成される。前記支持機構は、前記グリル庫に設けられる。前記グリル扉は、前記支持機構によって、前後方向に移動可能に支持され、前記開口部を閉じる閉位置と、この閉位置よりも前方の開位置との間で前後方向に移動可能である。前記支持体は、被調理物を受ける被調理物受けを支持する。前記支持体は、前記支持体が連結された前記グリル扉が、前記開位置に配置されたときに、後方への移動が規制される被規制部を有する。
【発明の効果】
【０００８】
本発明に係る一態様のグリル装置は、グリル扉が開位置に配置されたとき、グリル扉に連結された支持体の被規制部の後方への移動が規制され、グリル扉が開いた状態が維持されやすい。
【図面の簡単な説明】
【０００９】
【図１】図１は、本発明に係る一実施形態のグリル装置の斜視図である。
【図２】図２は、同上のグリル装置の要部の前後方向と垂直な断面図である。
【図３】図３は、同上のグリル装置のグリル扉を開いた状態における要部の斜視図である。
【図４】図４は、同上のグリル装置のグリル扉を開いた状態における要部を示し、左右方向と垂直な断面図である。
【図５】図５は、同上のグリル装置の支持体の斜視図である。
【図６】図６Ａは図４のＡ部拡大図である。図６Ｂは、支持体が図６Ａに示す状態から後方に移動した状態を示した断面図である。
【図７】図７は、図４のＢ部拡大図である。
【発明を実施するための形態】
【００１０】
以下に示す実施形態は、グリル装置に関し、詳しくは、被調理物受けを支持する支持体が、グリル扉と連動するグリル装置に関する。
【００１１】
図１に示す本実施形態のグリル装置１は、グリル付きのガスこんろであって、詳しくはキッチンカウンター（図示せず）に形成された孔に上方より挿入されて設置されるドロップインこんろである。
【００１２】
以下、グリル装置１の設置状態における方向を基準にして、グリル装置１の各構成について説明する。具体的には、グリル装置１から見て、設計上利用者が位置する方を前方と定義する。また、グリル装置１を前方から見たときを基準にして、左右方向を定義する。
【００１３】
本実施形態のグリル装置１は、ケーシング１０と、複数のこんろバーナー１１と、制御部（図示せず）と、天板１２と、複数の五徳１３とを備えている。
【００１４】
ケーシング１０は、上方に開口した箱状に形成されている。ケーシング１０の内部には、複数のこんろバーナー１１が設置されている。
【００１５】
天板１２はケーシング１０上に設置されている。天板１２において複数のこんろバーナー１１に対応する箇所には、複数のバーナー挿通口１４が形成されている。各バーナー挿通口１４は、天板１２を上下に貫通した孔である。
【００１６】
各こんろバーナー１１は、対応するバーナー挿通口１４を通って天板１２の上方に突出している。天板１２において複数のこんろバーナー１１に対応する箇所には、複数の五徳１３が設置されている。
【００１７】
グリル装置１は、複数のこんろバーナー１１にそれぞれ対応する複数のこんろ用操作部１５を備えている。本実施形態の複数のこんろ用操作部１５は、天板１２上に設置されている。利用者は、各こんろ用操作部１５を操作することで、対応するこんろバーナー１１の点火と消火の切替え及び火力の調整を行うことができる。
【００１８】
グリル装置１は、グリル庫２と、グリル庫２に設けられた支持機構３（図２及び図３参照）と、支持機構３によって前後方向に移動可能に支持されたグリル扉４とを備えている。
【００１９】
本実施形態のグリル庫２は、箱状に形成されており（図２及び図３参照）、ケーシング１０に収納されている。グリル庫２は、図３に示すように、底部２０、左右の側壁部２１、後壁部２２及び天井部２３（図２参照）を備えている。グリル庫２の内部には、底部２０、左右の側壁部２１、後壁部２２及び天井部２３で囲まれ、魚等の被調理物が配置される内部空間が形成されている。
【００２０】
グリル庫２の前端部には、開口部２４が形成されている。グリル庫２の内部空間は、開口部２４を介してケーシング１０（図１参照）の前方に開放される。グリル庫２の開口部２４は、グリル扉４によって開閉される。
【００２１】
本実施形態のグリル庫２の底部２０は、図２に示すように、上板２００と、上板２００の下方に配置された下板２０１と、上板２００の左右両端部上にそれぞれ設置された左右のカバー２０２とを有している。上板２００、下板２０１及び左右のカバー２０２の各々は、例えば金属製であり、金属板を曲げ加工することで形成される。底部２０の上面は、上板２００の上面と左右のカバー２０２の上面とで構成されており、底部２０の下面は下板２０１の下面で構成されている。
【００２２】
各カバー２０２は、図３に示すように、前後方向に延びた直線状に形成されており、グリル庫２の前後方向の略全長に亘っている。各カバー２０２の上面は、前後方向に延びた水平な摺動面２０３を含んでいる。摺動面２０３は、カバー２０２の前後方向の全長に亘っている。
【００２３】
各カバー２０２の前端は、図６Ａに示すように、上板２００の前端よりもやや後方に位置している。上板２００の上面において各カバー２０２の摺動面２０３の前方に位置する部分は、各カバー２０２の上面よりも一段低い段落部２０４となっている。
【００２４】
グリル扉４（図１参照）を支持する支持機構３は、図２に示すように、グリル庫２に設けられた左右一対のスライドレール３０を備えている。左右のスライドレール３０は、グリル庫２の左右の側壁部２１の下端部にそれぞれ取り付けられている。本実施形態の左右のスライドレール３０は、グリル庫２の底部２０が有する上板２００と下板２０１との間に配置されている。すなわち、左右のスライドレール３０は、グリル庫２の底部２０の内部に配置されている。
【００２５】
左右のスライドレール３０の各々は、前後方向に伸縮可能である。本実施形態の各スライドレール３０は、グリル庫２に固定された固定レール３１と、固定レール３１に対して前後方向に移動可能に連結された中間レール３２と、中間レール３２に対して前後方向に移動可能に連結され、かつグリル扉４に固定された可動レール３３とを備えている。
【００２６】
左右のスライドレール３０を介してグリル庫２に連結されたグリル扉４は、図１に示す閉位置と、図４に示す開位置との間で前後方向に移動可能である。グリル扉４が図１に示す閉位置に配置されたとき、グリル庫２の開口部２４はグリル扉４によって閉じられる。グリル扉４が図４に示す開位置に配置されたとき、グリル扉４は開口部２４から前方に離れた位置に配置される。これにより、グリル庫２の開口部２４は開放される。
【００２７】
グリル装置１は、図３に示す、被調理物受け５と、被調理物受け５を支持する支持体６とを備えている。被調理物受け５は、被調理物を受ける。支持体６は、グリル扉４に連結されてグリル扉４と連動する。
【００２８】
支持体６がグリル扉４に連結され、かつ被調理物受け５が支持体６によって支持された状態において、グリル扉４が図１に示す閉位置に配置されると、支持体６及び被調理物受け５は、グリル庫２内に配置される。また、グリル扉４が図４に示す開位置に配置されると、グリル扉４に連結された支持体６及び支持体６で支持された被調理物受け５は、グリル庫２の開口部２４からグリル庫２の前方に突出する。
【００２９】
本実施形態のグリル装置１は、グリル扉４が開位置に配置されたとき、グリル扉４に連結された支持体６で支持された被調理物受け５の全体が、グリル庫２よりも前方に配置されるように構成されている。このため、利用者は、グリル扉４を開いた状態で、被調理物受け５を支持体６に支持させたり、支持体６に支持された被調理物受け５を取り出したりすることを容易に行うことができる。
【００３０】
図２に示すように、グリル庫２には、グリル庫２の内部を加熱する加熱手段として、複数のグリルバーナー８１，８２が設けられている。本実施形態のグリル装置１は、複数のグリルバーナー８１，８２として、上バーナー８１と、下バーナー８２とを備えている。
【００３１】
上バーナー８１は、グリル庫２の上端部に設けられている。上バーナー８１は、グリル庫２の天井部２３に取り付けられている。上バーナー８１は、グリル庫２内に配置された被調理物受け５及び被調理物受け５に載せられた被調理物を上側から加熱する。
【００３２】
下バーナー８２はグリル庫２の下端部に設けられている。下バーナー８２は、グリル庫２の下板２０１上に設置されており、上板２００に形成されたバーナー用孔２０５を通して上板２００よりも上方に突出している。下バーナー８２は、グリル庫２内に配置された被調理物受け５及び被調理物受け５に載せられた被調理物を下側から加熱する。
【００３３】
本実施形態のグリル装置１は、複数のグリルバーナー８１，８２を操作するための操作部として、図１に示すグリル用操作部８３を備えている。グリル用操作部８３は、ケーシング１０の前面に設けられたカンガルーポケット方式の操作部であって、非使用時にはケーシング１０内に配置され、使用時にはケーシング１０から前方に突出した位置に配置される。グリル用操作部８３がケーシング１０から前方に突出した状態では、グリル用操作部８３が備えた操作パネル（図示せず）が露出する。
【００３４】
利用者は、グリル用操作部８３の操作パネルを操作することで、複数の調理メニューの中から任意の調理メニューを選択することができる。このように調理メニューが選択されると、自動調理が実行される。この自動調理では、選択された調理メニューに応じて、複数のグリルバーナー８１，８２の点火と消火の切替え及び火力の調整が自動で行われる。
【００３５】
図３に示す、本実施形態の被調理物受け５は、グリル皿であり、底壁部５０と、底壁部５０の周縁から上方に突出した周壁部５１とを有している。周壁部５１は、底壁部５０の前縁から上方に突出した前壁部５２と、底壁部５０の後縁から上方に突出した後壁部５３とを含んでいる。
【００３６】
前壁部５２及び後壁部５３の各々には、支持体６で支持される複数の被支持部５４，５５が形成されている。前壁部５２には、複数の被支持部５４として、前壁部５２の左右両側部分にそれぞれ形成されて前方に突出した左右の前被支持部５４が形成されている。後壁部５３には、複数の被支持部５５として、後壁部５３の左右両側部分にそれぞれ形成されて後方に突出した左右の後被支持部５５が形成されている。
【００３７】
図５に示す本実施形態の支持体６は、平面視枠状に形成された左右対称形状の支持枠であり、金属製の線材を所定の形状に変形させ、その両端を溶接で繋ぐことで形成される。本実施形態の支持体６を構成する線材は、断面円形であり、その断面積は線材の長さ方向の全長に亘って略同じである。
【００３８】
支持体６は、左右の縦枠部６０と、左右の縦枠部６０を繋いだ前後の横枠部６１，６２とを有している。以下、必要に応じて、前後の横枠部６１，６２のうちの前の横枠部６１を前横枠部６１といい、後の横枠部６２を後横枠部６２という。
【００３９】
前横枠部６１は、支持体６の前端部に位置し、後横枠部６２は支持体６の後端部に位置している。前横枠部６１の左右両端は、左右の縦枠部６０の前端にそれぞれ繋がっており、後横枠部６２の左右両端は、左右の縦枠部６０の後端にそれぞれ繋がっている。
【００４０】
前横枠部６１の左右両端部の各々は、グリル扉４に連結される被連結部６３を構成している。グリル扉４の後面の左右両端部には、左右の連結部材４０（図７参照）が取り付けられている。左右の連結部材４０には、支持体６の左右の被連結部６３がそれぞれ着脱可能に連結される。これにより、支持体６はグリル扉４に連結される。
【００４１】
本実施形態の支持体６の各被連結部６３は、左右方向に延びた直線状に形成されている。一方、各連結部材４０は、図７に示すように、グリル扉４の後面から後方に突出した支持片部４１と、支持片部４１の後端部から上方に突出した掛止片部４２とを含んでいる。支持体６の各被連結部６３は、支持片部４１上に載せられ、かつ掛止片部４２に引っ掛けられることで、対応する連結部材４０に連結される。
【００４２】
支持体６の前後の横枠部６１，６２は、図３に示す被調理物受け５を支持する部分である。図５に示すように、本実施形態の前後の横枠部６１，６２の各々には、被調理物受け５を支持する左右の支持部６４が形成されている。本実施形態の各横枠部６１，６２は、左右方向の中間部が上方に突出するように屈曲した立上部６５となっており、この立上部６５の左右両端部に左右の支持部６４がそれぞれ形成されている。
【００４３】
図３に示すように、被調理物受け５は、左右の前被支持部５４が前横枠部６１の左右の支持部６４上にそれぞれ載せられ、左右の後被支持部５５が後横枠部６２の左右の支持部６４（図５参照）上に載せられることで、支持体６上に位置決めされた状態で支持される。
【００４４】
グリル扉４が前後方向に移動したとき、グリル扉４に連結された支持体６の左右の縦枠部６０は、グリル庫２の底部２０の上面に沿って前後方向に移動する。本実施形態の左右の縦枠部６０は、グリル庫２の左右のカバー２０２の上方にそれぞれ配置され、対応するカバー２０２の摺動面２０３に沿って移動する。
【００４５】
図５に示すように、支持体６の各縦枠部６０の後端部は、後方部分が前方部分よりも上方に位置するように下端に段が形成された段付部６６となっている。各段付部６６は、第１部分７１と、第２部分７２とを含んでいる。
【００４６】
第１部分７１及び第２部分７２の各々は、前後方向に延びた直線状に形成されている。
第１部分７１の下端は、水平であって、第１部分７１の前後方向の全長に亘って略同じ高さに位置する。第２部分７２の下端は、水平であって、第２部分７２の前後方向の全長に亘って略同じ高さに位置する。第２部分７２は、下端が第１部分７１の下端よりも上方に位置し、かつ前端部が第１部分７１の後端部に繋がっている。
【００４７】
第１部分７１の下端の後端と第２部分７２の下端の前端とを繋ぐ部分は、後端に近い部分ほど上方に位置するように傾斜又は湾曲している。第２部分７２の下端は、第１部分７１の下端よりも、例えば１ｍｍ以上２ｍｍ以下上方に位置することが好ましく、本実施形態では１ｍｍ程度上方に位置している。
【００４８】
本実施形態の各縦枠部６０において第１部分７１よりも前方の部分である前方部６７は、前後方向に延びた直線状に形成されている。各縦枠部６０の前方部６７の下端は、略水平であって、前方部６７の前後方向の全長に亘って略同じ高さに位置する。各縦枠部６０の前方部６７の下端は、第１部分７１の下端よりも一段上方に位置する。なお、各縦枠部６０の前方部６７は、下端が第１部分７１の下端と同じ高さに位置してもよい。
【００４９】
図３に示すように支持体６がグリル扉４に連結された状態において、グリル扉４が前後方向に移動したとき、各縦枠部６０の第１部分７１の下端は、グリル庫２の対応するカバー２０２の摺動面２０３に沿って前後方向に摺り動く。また、このとき、各縦枠部６０の第２部分７２及び前方部６７は、グリル庫２に対して非接触状態で移動する。
【００５０】
グリル扉４が閉位置から開位置に移動したとき、グリル扉４に連結された支持体６の各縦枠部６０の第１部分７１は、図６Ａに示すように、対応するカバー２０２の摺動面２０３から前方に落ち、対応するカバー２０２の前端面２０６に対向する。このため、グリル扉４（図４参照）が開位置に配置された状態では、各縦枠部６０の第１部分７１の後端部（詳しくは、第１部分７１の下端の後端と第２部分７２の下端の前端とを繋ぐ部分）が、対応するカバー２０２の前端面２０６に接することで、グリル扉４の後方への移動が規制される。すなわち、本実施形態の各縦枠部６０の第１部分７１は、グリル扉４が開位置に配置されたときに、グリル庫２が有する前向きの面に接することで、後方への移動が規制される被規制部を構成する。また、本実施形態の各カバー２０２は、被規制部を規制する規制部を構成する。
【００５１】
上述のように本実施形態のグリル装置１は、開位置に配置されたグリル扉４の後方への移動が規制されるため、例えば利用者が開位置に配置されたグリル扉４に不意に接触しても、グリル扉４が後方に移動し難くなり、グリル扉４が開いた状態が維持されやすくなる。従って、利用者は、被調理物受け５を支持体６に支持させたり、支持体６で支持された被調理物受け５を取り出したりするときの作業を容易に行うことが可能になる。
【００５２】
また、本実施形態のグリル装置１は、開位置に配置されたグリル扉４の後方への移動を規制する手段として、グリル扉４に連結された支持体６が用いられる。このため、例えばグリル扉４を支持する支持機構３に被規制部を設ける場合と比較して、支持機構３の構造を簡略化することもできる。
【００５３】
なお、グリル装置１は、開位置に配置されたグリル扉４に対してやや強い後向きの力が加わったときには、図６Ｂに示すように、グリル扉４に連結された支持体６の各縦枠部６０の第１部分７１が、対応するカバー２０２の摺動面２０３に乗り上がるように構成されている。このため、利用者は、開位置に配置されたグリル扉４をやや強い力で後方に押すだけで、グリル扉４を後方に移動可能な状態とすることができる。
【００５４】
図５に示すように、後横枠部６２の左右両端は、左右の縦枠部６０の第２部分７２の後端に繋がっている。本実施形態の後横枠部６２は、左右一対の横行部６８と左右一対の縦行部６９とを有している。
【００５５】
後横枠部６２の左右の横行部６８は、左右の縦枠部６０の第２部分７２の後端からそれぞれ左右方向の内側に向かって延びており、左右方向の寸法が前後方向の寸法よりも長い。なお、本実施形態の各横行部６８は、平面視で上方に凸となる円弧状に形成されているが、各横行部６８の形状はこれに限定されず、例えば平面視において左右方向と交差する直線状に形成されてもよい。
【００５６】
左右の縦行部６９は、左右の横行部６８の左右方向の内側端からそれぞれ前方に延びており、左右の縦行部６９の前端部は、立上部６５の左右の下端部にそれぞれ繋がっている。後横枠部６２の左右両端部の各々は、横行部６８と縦行部６９とで構成されている。
【００５７】
左右の横行部６８の各々は、下端が略水平であって、横行部６８の左右方向の全長に亘って略同じ高さに位置する。左右の縦行部６９の各々は、下端が略水平であって、縦行部６９の前後方向の全長に亘って略同じ高さに位置する。
【００５８】
後横枠部６２において、少なくとも左右の横行部６８は、下端が各縦枠部６０の第１部分７１の下端よりも上方に位置している。このため、図３に示すように、支持体６がグリル扉４に連結された状態で、グリル扉４が前後方向に移動したときに、左右の横行部６８は、グリル庫２の底部２０（詳しくは対応するカバー２０２の上面）に非接触状態で移動する。
【００５９】
各横行部６８は左右方向に延びているため、仮に左右の横行部６８がグリル扉４の前後方向の移動に伴ってグリル庫２の底部２０に沿って摺り動いた場合、音鳴りが生じやすい。しかし、本実施形態の各横行部６８は、第１部分７１よりも上方に位置し、グリル扉４の移動時においてグリル庫２の底部２０に接触しないため、前記音鳴りが生じ難い。
【００６０】
また、本実施形態の支持体６は、後横枠部６２の各縦行部６９の下端も、第１部分７１の下端よりも上方に位置しており、支持体６が連結されたグリル扉４が前後方向に移動したときに、グリル庫２の底部２０に接触しない。従って、後横枠部６２の各縦行部６９においても、音鳴りが生じ難い。なお、各縦行部６９は、下端が第１部分７１の下端と同じ高さに位置するものであってもよい。
【００６１】
また、各縦枠部６０の第１部分７１は、前後方向に延びた直線状であり、かつ断面円形に形成されている。このため、グリル扉４が前後方向に移動したときには、各縦枠部６０の第１部分７１は、前後方向に延びた直線状の下端のみが、グリル庫２の底部２０に対して線状に接触する。このため、各縦枠部６０の第１部分７１においても、音鳴りは生じ難い。
【００６２】
以上説明した実施形態のグリル装置１は、適宜設計変更可能である。例えば、前記実施形態では、支持体６が連結されたグリル扉４が開位置に配置されたとき、支持体６は、カバー２０２の前端面に当たることで、後方への移動が規制されるが、グリル庫２の底部２０の前端面等に当たることで、後方への移動が規制されてもよい。また、支持体６は、例えば、グリル庫２における底部２０以外の部分等、グリル装置１の他の部分に当たることで、後方への移動が規制されてもよい。
【００６３】
また、支持体６の被規制部の形状、支持体６の材料、支持体６が被調理物受け５を支持する構造、支持体６をグリル扉４に連結する構造、グリル扉４を支持する支持機構３等も、本実施形態のものに制限されない。
【００６４】
また、被調理物受け５は、グリル皿に限られず、蓋付きの調理容器や、焼き網等であってもよい。
【００６５】
また、グリル庫２の内部を加熱する加熱手段は、バーナーに限られず、コイル式ヒーターやシーズヒータなどであってもよい。
【００６６】
また、グリル装置１は、テーブルこんろであってもよい。また、グリル装置１は、こんろを備えないガスグリルであってもよい。
【００６７】
以上説明した実施形態のグリル装置１は、以下に示す特徴を有する。グリル装置１は、グリル庫２、支持機構３、グリル扉４及び支持体６を備える。グリル庫２の前端部には、開口部２４が形成される。支持機構３は、グリル庫２に設けられる。グリル扉４は、支持機構３によって、前後方向に移動可能に支持され、開口部２４を閉じる閉位置と、この閉位置よりも前方の開位置との間で前後方向に移動可能である。支持体６は、被調理物を受ける被調理物受け５を支持する。支持体６は、被規制部（第１部分７１）を有する。被規制部は、支持体６が連結されたグリル扉４が、前記開位置に配置されたときに、後方への移動が規制される。以下、この特徴を有するグリル装置１を第１の態様のグリル装置１という。
【００６８】
第１の態様のグリル装置１は、グリル扉４が開位置に配置された状態において、グリル扉４に連結された支持体６の被規制部の後方への移動が規制される。このため、例えば利用者が開位置に配置されたグリル扉４に不意に接触する等しても、グリル扉４が後方に移動し難くなり、グリル扉４が開いた状態が維持されやすい。従って、利用者は、被調理物受け５を支持体６に支持させたり、支持体６で支持された被調理物受け５を取り出したりするときの作業を容易に行うことができる。また、被規制部は支持体６が有するため、例えばグリル扉４を支持する支持機構３に被規制部を設ける場合と比較して、支持機構３の構造を簡略化することもできる。
【００６９】
また、前記実施形態のグリル装置１は、第１の態様のグリル装置１が有する特徴に加えて、以下に示す付加的な特徴を有する。支持体６は、第１部分７１と、第２部分７２とを有する。第１部分７１は、支持体６に連結されたグリル扉４の前後方向の移動に伴い、グリル庫２の底部２０の上面に沿って移動する。第２部分７２は、下端が第１部分７１の下端よりも上方に位置し、かつ前端部が第１部分７１の後端部に繋がる。被規制部は、第１部分７１である。被規制部は、グリル庫２の底部２０に接することで後方への移動が規制される。以下、このグリル装置１を第２の態様のグリル装置１という。
【００７０】
第２の態様のグリル装置１は、グリル扉４が開位置に配置された状態において、グリル扉４に連結された支持体６の第１部分７１（被規制部）が、グリル庫２の底部２０に接することで、グリル扉４の後方への移動が規制される。また、支持体６の第１部分７１の下端と第２部分７２の下端との間に段差をつけることで、被規制部を簡単に形成することができる。
【００７１】
また、前記実施形態のグリル装置１は、第２の態様のグリル装置１が有する特徴に加えて、以下に示す付加的な特徴を有する。支持体６は、平面視枠状に形成された支持枠であって、左右の縦枠部６０と、左右の縦枠部６０を繋いだ前後の横枠部６１，６２とを有する。左右の縦枠部６０の各々は、第１部分７１と第２部分７２とを含む。前後の横枠部６１，６２のうちの後の横枠部６２は、一対の横行部６８を含む。一対の横行部６８は、左右の縦枠部６０の第２部分７２の後端からそれぞれ左右方向の内側に向かって延び、下端が左右の縦枠部６０の第１部分７１の下端よりも上方に位置する。以下、このグリル装置１を第３の態様のグリル装置１という。
【００７２】
第３の態様のグリル装置１は、一対の横行部６８の下端が、左右の縦枠部６０の第１部分７１の下端よりも上方に位置する。このため、支持体６が連結されたグリル扉４が前後方向に移動したときに、一対の横行部６８がグリル庫２の底部２０に接触し難くなり、一対の横行部６８がグリル庫２の底部２０に接触することによって音が発生することを抑制することができる。
【００７３】
また、前記実施形態のグリル装置１は、第１〜第３のいずれかの態様のグリル装置１が有する特徴に加えて、以下に示す付加的な特徴を有する。グリル扉４が前記開位置に配置されたときに、グリル扉４に連結された支持体６によって支持された被調理物受け５の全体が、グリル庫２よりも前方に配置されるように構成される。以下、このグリル装置１を第４の態様のグリル装置１という。
【００７４】
第４の態様のグリル装置１にあっては、グリル扉４が開位置に配置されたときに、被調理物受け５の全体がグリル庫２よりも前方に出る。このため、利用者は、グリル扉４を開いた状態で、被調理物受け５を支持体６に支持させたり、支持体６に支持された被調理物受け５を取り出したりすることを一層容易に行うことができる。
【符号の説明】
【００７５】
１  グリル装置
２  グリル庫
２０  底部
２４  開口部
３  支持機構
４  グリル扉
５  被調理物受け
６  支持体
６０  縦枠部
６１  前横枠部（横枠部）
６２  後横枠部（横枠部）
６８  横行部
７１  第１部分
７２  第２部分
【図１】
2019037641.tif 000003
【図２】
2019037641.tif 000004
【図３】
2019037641.tif 000005
【図４】
2019037641.tif 000006
【図５】
2019037641.tif 000007
【図６】
2019037641.tif 000008
【図７】
2019037641.tif 000009